(57)【要約】【課題】  錠剤、カプセル剤などの医薬品を収納したプレススルーパッケージにおいて膨らみ収納部を指圧した際、膨らみ収納部の倒れ、変形、圧潰を容易にし、蓋材の易開封性を向上させる。【解決手段】  プレススルーパッケージ１００は、錠剤４を収納する膨らみ収納部２０を所定間隔に複数備えたシート状成形体(本体)１０と,前記膨らみ収納部２０を封止する蓋材６とからなり、前記膨らみ収納部２０の側壁２１を前記蓋材６に対し一方向に角度θ=約１５度程度傾斜して立設し、膨らみ収納部２０と蓋材６で囲まれた空間の断面形状が略菱形を形成するようにした構成。【選択図】  図２
2008068873.tif 000002
【特許請求の範囲】
【請求項１】
医薬品を収納する膨らみ収納部を所定間隔に複数備えた本体と,前記膨らみ収納部を封止する蓋材とからなり、前記蓋材を破壊して前記医薬品を取り出す形式のパッケージであって、前記膨らみ収納部の側壁を前記蓋材に対し一方向に傾斜して立設したことを特徴とする医薬品用プレススルーパッケージ。
【請求項２】
膨らみ収納部と蓋材で囲まれた空間の断面形状が略菱形を形成するごとく前記膨らみ収納部の側壁を傾斜させたことを特徴とする請求項1記載の医薬品用プレススルーパッケージ。
【発明の詳細な説明】
【技術分野】
【０００１】
本発明は、錠剤、カプセル剤などの医薬品に利用可能なプレススルーパッケージ（ＰＴＰ：Ｐｒｅｓｓ Ｔｈｒｏｕｇｈ Ｐａｃｋａｇｅ）に関する。詳しくは、医薬品を収納した膨らみ収納部を指圧した際、膨らみ収納部の倒れ、圧潰を容易にし、蓋材の易開封性を向上させたプレススルーパッケージに関する。
【背景技術】
【０００２】
従来のプレススルーパッケージは、厚さ３００μｍ程度の塩化ビニルシート等の剛性を有する本体と,厚さ２０μｍ程度のアルミニウム箔からなる蓋材、または厚さ数十μｍ程度のフィルムを多層にした積層樹脂フィルムの蓋材とからなる構成のものが広く用いられている。収納物の取り出しは膨らみ収納部を指圧して圧潰し、膨らみ収納部を介して収納物を押すことにより、収納物によって蓋材を押し破って開口させ取り出す方法が採用されている。
【０００３】
蓋材の易開封性を向上させたプレススルーパッケージとして例えば特開２００２−２２５９３０号公報により、シート状成形体に熱成形により形成され表面側に突出する多数の膨らみ部を備え、多数の各膨らみ部の内側の凹部に非収納物を入れた状態でシート状成形体裏面の凹部の開口部を閉じるように合成樹脂材料からなる積層フィルムを使用してこの積層フィルムをシート状成形体に対し小さな接合力で剥離可能に接合し、前記各凹部の開口部を囲む位置で積層フィルムの裏面側より積層フィルムを厚み方向に貫通するがシート状成形体を厚み方向に貫通しないように切り込みを形成してなることを特徴とする包装体が提案されている。
【０００４】
さらに特開２００３−１８２７８１号公報により、収納部を有する本体とこの収納部を封止する蓋材とからなり、蓋材を破壊して収納物を取り出す形式のプレススルーパッケージであって、該蓋材が坪量１００〜３００ｇ／ｍ2 の紙層を主体とするものからなり、この紙層に開口部を形成するためのＹ字状切り込みを設けたことを特徴とするプレススルーパッケージが提案されている。
【０００５】
さらに特表平１１−５１３６４１号公報により、破裂性基材、該破裂性基材上に形成されたブリスター層ならびに該破裂性基材および該ブリスター層間に包まれる薬品からなり、該ブリスター層が実質的に剛直な材料から形成され、かつその中に含まれる第一のブリスターおよび該ブリスター層に形成される第二のブリスターを有し、該第一ブリスターはその中に該薬品を完全に含む大きさであり、該第二ブリスターは環状形状であり、かつ第一および第二ブリスター間の該層の間にて該ブリスター層に形成された凹みにおいて第一ブリスターに連結し、該凹みは、該薬品が当該ブリスターパックから取り出せるように該破裂性基材に係合し、それを破裂させることを特徴とする該ブリスターパッケージが提案されている。
【特許文献１】特開２００２−２２５９３０号公報
【特許文献２】特開２００３−１８２７８１号公報
【特許文献３】特表平１１−５１３６４１号公報
【発明の開示】
【発明が解決しようとする課題】
【０００６】
しかし特許文献１、２におけるプレススルーパッケージは蓋材に切り込みを設けることにより蓋材の易開封性を向上させるもので、本体の膨らみ収納部に言及すねものでない。
特許文献３は、ブリスターパッケージを構成する破裂性基材を破裂させるための主要な手段として砕け易い薬品を使用することなく開けられ、それによって脆い薬品が砕けることを回避する、脆い薬品用のブリスターパックを提供することを目的としている。そのため膨らみ収納部の側壁に連続するＳ字部を設け、片持ち支持の支点迄の長さを長くして指圧がかかった際のたわみを容易にするものである。この場合も側壁を一方向に傾斜させる構成を開示するものでない。
【０００７】
本発明は膨らみ収納部を指圧した際、膨らみ収納部の変形と圧潰を容易にし、膨らみ収納部内の医薬品を介して蓋材の易開封性を向上させることを目的とする。そして力の弱い子ども、お年寄りにも容易にプレススルーパッケージを開封可能にすることを目的とする。
【課題を解決するための手段】
【０００８】
本発明にかかるプレススルーパッケージは、医薬品を収納する膨らみ収納部を所定間隔に複数備えたシート状成形体(本体)と,前記膨らみ収納部を封止する蓋材とからなり、前記蓋材を破壊して前記医薬品を取り出す形式のパッケージであって、前記膨らみ収納部の側壁を前記蓋材に対し一方向に傾斜して立設したことを特徴としたもので、膨らみ収納部の頂部を真上から指圧した際、図２に示すごとく分力Ｆ１、Ｆ２を生じ、膨らみ収納部の倒れ、変形、圧潰を容易にし、膨らみ収納部内の医薬品を介して蓋材の易開封性を向上させられる。(請求項１)
【０００９】
さらに、本発明にかかるプレススルーパッケージは、膨らみ収納部と蓋材で囲まれた空間の断面形状が略菱形を形成するごとく前記膨らみ収納部の側壁を傾斜させたことを特徴としたもので、膨らみ収納部の頂部を指圧した場合、図２に示すごとく膨らみ収納部を倒す方向に分力Ｆ１が作用し膨らみ収納部内の医薬品を介して蓋材の易開封性を向上させられる。 (請求項２)
【発明の効果】
【００１０】
上記構成により本発明のプレススルーパッケージは、膨らみ収納部を真上から指圧した場合にも、膨らみ収納部を倒す方向に分力が作用し膨らみ収納部の倒れ、変形、圧潰を容易にする。その結果、膨らみ収納部内の医薬品を介して蓋材の易開封性を向上させられる。力の弱い子ども、お年寄りにも容易にプレススルーパッケージを開封できる。さらに、従来のプレススルーパッケージ製造工法を変更する必要が無く、コストも上がらない。
【発明を実施するための最良の形態】
【００１１】
本発明にかかるプレススルーパッケージは上述の通りである。プレススルーパッケージを構成するシート状成形体(本体)は厚さ２００〜３００μｍ程度の剛性を有する透明な樹脂シートで構成するのが好ましい。透明樹脂シートとしては例えば、塩化ビニルシート、ポプロピレン(ＰＰ)、ポリエチレンテレフタレート(ＰＥＴ)、ポリエチレン(ＰＥ)等、任意の一般的樹脂部材を用いればよい。
医薬品を収納する膨らみ収納部は前記本体樹脂を真空成型または圧空成型などして配設するのが好ましい。膨らみ収納部の樹脂厚さは７０〜１００μｍ程度とするのが好ましい。
【００１２】
蓋材は２０μｍ程度のアルミニウム箔、１０μｍ程度のアルミニウム箔をラミネートした厚さ１００μｍ程度の紙、厚さ４０〜７０μｍ程度の合成樹脂フィルム、異なる種類の樹脂フィルム例えば１２μｍ程度のＰＥＴフィルムと３０μｍ程度のＰＥフィルムを積層した樹脂シート、アルミニウムを１０００Å程度蒸着した樹脂フィルムたとえば２０μｍ程度のＰＥＴフィルム等から選んだ一つとするのが好ましい。
【００１３】
膨らみ収納部を指圧した際、該膨らみ収納部を倒す方向に分力を生じさせるには、膨らみ収納部と蓋材で囲まれた空間の断面形状が略菱形を形成するごとく前記膨らみ収納部の側壁を一方向に傾斜させるのが好ましい。傾斜角度θ（図２参照）は蓋材に立てた垂線に対し１５度程度傾むけるのが好ましい。なお、傾斜角度θを任意に設定してよいことは自明である。
【実施例】
【００１４】
以下、本発明のプレススルーパッケージを図面とともに説明する。図１は本発明の一実施例におけるプレススルーパッケージの平面図、図２は図１を切断線Ｓ1〜Ｓ1で切断した要部拡大断面図、図３は本発明のもう一つのプレススルーパッケージの平面図、図４は従来のプレススルーパッケージの斜視図、図５は図４を切断線Ｓ３〜Ｓ３で切断した要部拡大断面図である。
【００１５】
図1、図２に示すプレススルーパッケージ１００は、錠剤４を収納する膨らみ収納部２０を所定間隔に複数備えたシート状成形体１０と,前記膨らみ収納部２０を封止する蓋材６とからなり、前記蓋材６を破壊して錠剤４を取り出す形式のパッケージである。そして、前記膨らみ収納部２０の側壁２１を前記蓋材６に対し一方向に角度θ=約１５度程度傾斜して立設したことを特徴とする。詳しくは、膨らみ収納部２０と蓋材６で囲まれた空間の断面形状が略菱形の平行四辺形を形成することを特徴とする。なお、二点鎖線は側壁２１を傾斜させない場合の状態を表わす。
【００１６】
シート状成形体１０は透明な合成樹脂材料たとえばポリプロピレンを材料として作られている。真空成形により表面側に厚み９０μｍ程度の膨らみ収納部２０が２行５列に１０個所定間隔毎に形成されている。膨らみ収納部２０以外のフラットな部分は厚み２００μｍ程度のシート状成形体である。該シート状成形体１０の各膨らみ収納部２０の内側の凹部３０に外周が円形の錠剤４を入れた状態で、凹部３０の開口部５０を閉蓋するようにシート状成形体１０裏面全体に亘って合成樹脂の積層フィルム６がヒートシールにより装着されている。
【００１７】
前記積層フィルム６は厚み１２μｍ程度の透明蒸着ポリエチレンテレフタレートフィルム層６ａと、このフィルム層６ａにドライラミネートにより剥離強度２．０Ｎ／ｃｍ以上の大きな接合力で接合された厚み３０μｍ程度の透明なエチレン酢酸ビニル共重合体樹脂とオレフィン樹脂とのブレンド材料からなるフィルム層６ｂとからなる。
該フィルム層６ｂが前記シート状成形体１０の裏面側に向くように積層フィルム６をシート状成形体１０に重ねてヒートシール面が界面剥離可能にヒートシールにより装着されている。
【００１８】
詳しくは、フィルム層６ｂとシート状成形体１０とはヒートシール強度１．０Ｎ／ｃｍ〜１３．０Ｎ／ｃｍ程度の小さな接合力で接合されている。なお、積層フィルム６に透明蒸着ポリエチレンテレフタレートフィルム層６ａを備えるのは凹部３の内部への湿気の浸入防止効果やガスバリヤー効果を得るためである。
シート状成形体１０についてはポリプロピレンを材料として作られていて厚みが大きいため、凹部３０の内部への湿気の浸入防止効果を発揮する。なお、該シート状成形体１０にガスバリヤー性を必要とする場合には、ガスバリヤー効果のある材料からなるフィルム層を設けてよいことは自明である。
【００１９】
上記構成の包装体の凹部３０より錠剤４を取り出すには、図２に示すごとくシート状成形体１０の表面側の膨らみ収納部２０頂部に真上な方向から指圧する。または斜め左方向から右方向に側壁２１を倒すよう指圧する。前記指圧により凹部３０内の錠剤４は膨らみ収納部２０を介して積層フィルム６側に押し付けられ、その力によってシート状成形体１０の開口部５０を覆う積層フィルム６が開口縁部にほぼ沿って破断し、剥離する。その結果、開口部５０が開いて凹部３０より錠剤４を取り出すことができる。
【００２０】
このように本発明におけるプレススルーパッケージは、膨らみ収納部を指圧した際、膨らみ収納部を倒す方向に分力Ｆ1が作用し膨らみ収納部の倒れと圧潰を容易にする。その結果、膨らみ収納部内の錠剤を介して蓋材の易開封性を向上させられる。力の弱い子ども、お年寄りにも容易にプレススルーパッケージを開封できる。さらに、従来のプレススルーパッケージ製造工法を変更する必要が無く、コストも上がらない。
【００２１】
なお、図３は本発明のもう一つの実施例におけるプレススルーパッケージ２０0を示す。符号３１はシート状成形体(本体)、３２は膨らみ収納部を示す。この場合のプレススルーパッケージ２０0はカプセル型の医薬品を収納するもので、切断線Ｓ2〜Ｓ2で切断した断面形状が図２と同様に構成されている。従って、傾斜した側壁により易開封性の向上を同様に図れる。
【産業上の利用可能性】
【００２２】
本発明のプレススルーパッケージは錠剤、カプセル剤などの医薬品に利用されることの他に、押しても潰れない硬さを持った食品、身につける各種装飾品、硬質で円盤型や球形の各種生活用品などにも利用できる。
【図面の簡単な説明】
【００２３】
【図１】本発明の一実施例におけるプレススルーパッケージの平面図
【図２】図１を切断線Ｓ1〜Ｓ1で切断した要部拡大断面図
【図３】本発明のもう一つのプレススルーパッケージの平面図
【図４】従来のプレススルーパッケージの斜視図
【図５】図４を切断線Ｓ３〜Ｓ３で切断した要部拡大断面図
【符号の説明】
【００２４】
４  錠剤
６  蓋材
６ａ、６ｂ  フィルム層
１０、３１  シート状成形体(本体)
２０、３２  膨らみ収納部
２１  側壁
３０  凹部
５０  開口部
６０  切り込み(ハーフカット)
１００、２００  プレススルーパッケージ
Ｆ  指圧
Ｆ１、Ｆ２  分力
【図１】
2008068873.tif 000003
【図２】
2008068873.tif 000004
【図３】
2008068873.tif 000005
【図４】
2008068873.tif 000006
【図５】
2008068873.tif 000007